(57)【特許請求の範囲】
【請求項１】
複数の無線セルにより構成される無線通信システム内で使用される撮像装置であって、
無線セルに対応した識別情報を受信する受信手段と、
画像を撮像する撮像手段と、
画像情報を記録するための画像領域と付加情報を記録する付加情報領域とを含む記録媒体に情報を記録する記録手段と、
前記受信手段により受信される識別情報の変化に基づいて、自己が属する無線セルの変更を検知する移動検知手段と、
を有し、前記記録手段は、前記撮像手段による撮像に係る画像情報を前記画像領域に記録し、前記受信手段により受信した識別情報を前記付加情報領域に記録する他、前記移動検知手段により自己が属する無線セルの変更が検知された場合に、前記付加情報領域に画像サーチに利用可能な指標を記録する手段を有することを特徴とする撮像装置。
【請求項２】
前記記録手段は、前記移動検知手段により自己が属する無線セルの変更が検知された場合に、変更に係る無線セルに対応した識別情報を画像サーチに利用可能な指標と関連付けて前記付加情報領域に記録する手段を有することを特徴とする請求項１に記載の撮像装置。
【請求項３】
前記記録手段は、前記移動検知手段により自己が属する無線セルの変更が検知された場合に、変更に係る無線セルに対応した識別情報を絶対トラック番号情報と関連付けて前記付加情報領域に記録する手段を有することを特徴とする請求項１に記載の撮像装置。
【請求項４】
前記無線セルに対応した識別情報と前記絶対トラック番号とが関連付けて記録される付加情報領域は、ＴＯＣ情報部であることを特徴とする請求項３に記載の撮像装置。
【請求項５】
前記記録手段は、前記移動検知手段により自己が属する無線セルの変更が検知された場合に、変更に係る無線セルに対応した識別情報を時刻情報と関連付けて前記付加情報領域に記録する手段を有することを特徴とする請求項１に記載の撮像装置。
【請求項６】
前記無線セルに対応した識別情報と前記時刻情報とが関連付けて記録される付加情報領域は、ＴＯＣ情報部であることを特徴とする請求項５に記載の撮像装置。
【請求項７】
複数の無線セルにより構成される無線通信システム内で使用される撮像装置の制御方法であって、
無線セルに対応した識別情報を受信する受信工程と、
画像を撮像する撮像工程と、
画像情報を記録するための画像領域と付加情報を記録する付加情報領域とを含む記録媒体に情報を記録する記録工程と、
前記受信工程により受信される無線セルに対応した識別情報の変化に基づいて、自己が属する無線セルの変更を検知する移動検知工程と、
を有し、前記記録工程では、前記撮像工程で撮像した画像の画像情報を前記画像領域に記録し、前記受信工程により受信した識別情報を前記付加情報領域に記録する他、前記移動検知工程で自己が属する無線セルの変更が検知された場合に、前記付加情報領域に画像サーチに利用可能な指標を記録する工程を有することを特徴とする撮像装置の制御方法。
【請求項８】
前記記録工程では、前記移動検知工程で自己が属する無線セルの変更が検知された場合に、変更に係る無線セルに対応した識別情報を画像サーチに利用可能な指標と関連付けて前記付加情報領域に記録する工程を有することを特徴とする請求項７に記載の撮像装置の制御方法。
【請求項９】
前記記録工程では、前記移動検知工程で自己が属する無線セルの変更が検知された場合に、変更に係る無線セルに対応した識別情報を絶対トラック番号情報と関連付けて前記付加情報領域に記録する工程を有することを特徴とする請求項７に記載の撮像装置の制御方法。
【請求項１０】
前記無線セルに対応した識別情報と前記絶対トラック番号とが関連付けて記録される付加情報領域は、ＴＯＣ情報部であることを特徴とする請求項９に記載の撮像装置の制御方法。
【請求項１１】
前期記録工程では、前記移動検知工程で自己が属する無線セルの変更が検知された場合に、変更に係る無線セルに対応した識別情報を時刻情報と関連付けて前記付加情報領域に記録する工程を有することを特徴とする請求項７に記載の撮像装置の制御方法。
【請求項１２】
前記無線セルに対応した識別情報と前記時刻情報とが関連付けて記録される付加情報領域は、ＴＯＣ情報部であることを特徴とする請求項１１に記載の撮像装置の制御方法。
【請求項１３】
複数の無線セルにより構成される無線通信システム内で使用される撮像装置の制御プログラムを格納したメモリ媒体であって、
無線セルに対応した識別情報を受信する受信工程の制御コードと、
画像を撮像する撮像工程の制御コードと、
画像情報を記録するための画像領域と付加情報を記録する付加情報領域とを含む記録媒体に情報を記録する記録工程の制御コードと、
前記受信工程により受信される無線セルに対応した識別情報の変化に基づいて、自己が属する無線セルの変更を検知する移動検知工程の制御コードと、
を有し、前記記録工程では、前記撮像工程で撮像した画像の画像情報を前記画像領域に記録し、前記受信工程で受信した識別情報を前記付加情報領域に記録する他、前記移動検知工程で自己が属する無線セルの変更が検知された場合に、前記付加情報領域に画像サーチに利用可能な指標を記録する工程を有することを特徴とするメモリ媒体。
【請求項１４】
通信端末の位置を識別可能な無線通信システムにおいて使用される撮像装置であって、
遠隔の通信装置と通信することにより前記撮像装置の位置情報を取得する取得手段と、
画像を撮像する撮像手段と、
画像情報を記録するための画像領域と付加情報を記録する付加情報領域とを含む記録媒体に情報を記録する記録手段と、
前記取得手段により取得される撮像装置の位置情報の変化を検知する移動検知手段と、
を有し、前記記録手段は、前記撮像手段による撮像に係る画像情報を前記画像領域に記録し、前記取得手段により取得した位置情報を前記付加情報領域に記録する他、前記移動検知手段により自己の位置情報の変化が検知された場合に、前記付加情報領域に画像サーチに利用可能な指標を記録する手段を有することを特徴とする撮像装置。
【請求項１５】
前記記録手段は、前記移動検知手段により自己の位置情報の変化が検知された場合に、変化に係る位置情報を画像サーチに利用可能な指標と関連付けて前記付加情報領域に記録する手段を有することを特徴とする請求項１４に記載の撮像装置。
【発明の詳細な説明】
【０００１】
【発明の属する技術分野】
本発明は、撮像装置及びその制御方法並びにメモリ媒体に係り、特に、複数の無線セルにより構成される無線通信システム内で使用される撮像装置及びその制御方法並びにその制御プログラムを格納したメモリ媒体に関する。
【０００２】
【発明が解決しようとする課題】
撮影日時を付加情報として記録媒体に記録可能なビデオカメラがある。このようなビデオカメラにより、撮影日時と併せて画像を記録することにより、画像の再生の際に、該画像の記録日時を容易に確認することができる。
【０００３】
しかしながら、従来のビデオカメラは、撮影日時以外の付加情報を記録媒体に記録する機能を有していなかった。従って、例えば、当該画像の撮影場所等に関しては、撮影者等の記憶や画像の内容等を手掛かりとして判断せざるを得なかった。
【０００４】
また、画像が記録された記録媒体より所望の画像をサーチする方法として、インデックスサーチ、絶対トラック番号サーチ、タイムサーチ等の方法がある。しかし、インデックスサーチの場合は、サーチ部分に予めインデックスデータが記録されていることが必要であり、絶対トラックサーチ及びタイムサーチの場合は、サーチ対象部分の絶対トラック番号或いは時刻を予め知らなければ、所望の画像をサーチすることができなかった。
【０００５】
本発明は、上記の背景に鑑みてなされたものであり、例えば、記録媒体に記録された画像から所望の画像をサーチすることを容易にすることを目的とする。
【０００６】
【課題を解決するための手段】
本発明に係る撮像装置は、複数の無線セルにより構成される無線通信システム内で使用される撮像装置であって、無線セルに対応した識別情報を受信する受信手段と、画像を撮像する撮像手段と、画像情報を記録するための画像領域と付加情報を記録する付加情報領域とを含む記録媒体に情報を記録する記録手段と、前記受信手段により受信される識別情報の変化に基づいて、自己が属する無線セルの変更を検知する移動検知手段と、を有し、前記記録手段は、前記撮像手段による撮像に係る画像情報を前記画像領域に記録し、前記受信手段により受信した識別情報を前記付加情報領域に記録する他、前記移動検知手段により自己が属する無線セルの変更が検知された場合に、前記付加情報領域に画像サーチに利用可能な指標を記録する手段を有することを特徴とする。
【０００７】
本発明の好適な実施形態によれば、前記記録手段は、前記移動検知手段により自己が属する無線セルの変更が検知された場合に、変更に係る無線セルに対応した識別情報を画像サーチに利用可能な指標と関連付けて前記付加情報領域に記録する手段を有することが好ましい。
【０００８】
本発明の好適な実施形態によれば、前記記録手段は、前記移動検知手段により自己が属する無線セルの変更が検知された場合に、変更に係る無線セルに対応した識別情報を絶対トラック番号情報と関連付けて前記付加情報領域に記録する手段を有することが好ましい。
【０００９】
本発明の好適な実施形態によれば、前記無線セルに対応した識別情報と前記絶対トラック番号とが関連付けて記録される付加情報領域は、ＴＯＣ情報部であることが好ましい。
【００１０】
本発明の好適な実施形態によれば、前記記録手段は、前記移動検知手段により自己が属する無線セルの変更が検知された場合に、変更に係る無線セルに対応した識別情報を時刻情報と関連付けて前記付加情報領域に記録する手段を有することが好ましい。
【００１１】
本発明の好適な実施形態によれば、前記無線セルに対応した識別情報と前記時刻情報とが関連付けて記録される付加情報領域は、ＴＯＣ情報部であることが好ましい。
【００１４】
上記の撮像装置において、前記記録媒体は、例えば、磁気テープ、磁気ディスク、又は光学ディスクを含む。
【００１５】
本発明に係る撮像装置の制御方法は、複数の無線セルにより構成される無線通信システム内で使用される撮像装置の制御方法であって、無線セルに対応した識別情報を受信する受信工程と、画像を撮像する撮像工程と、画像情報を記録するための画像領域と付加情報を記録する付加情報領域とを含む記録媒体に情報を記録する記録工程と、前記受信工程により受信される無線セルに対応した識別情報の変化に基づいて、自己が属する無線セルの変更を検知する移動検知工程と、を有し、前記記録工程では、前記撮像工程で撮像した画像の画像情報を前記画像領域に記録し、前記受信工程により受信した識別情報を前記付加情報領域に記録する他、前記移動検知工程で自己が属する無線セルの変更が検知された場合に、前記付加情報領域に画像サーチに利用可能な指標を記録する工程を有することを特徴とする。
【００１６】
本発明に係るメモリ媒体は、複数の無線セルにより構成される無線通信システム内で使用される撮像装置の制御プログラムを格納したメモリ媒体であって、無線セルに対応した識別情報を受信する受信工程の制御コードと、画像を撮像する撮像工程の制御コードと、画像情報を記録するための画像領域と付加情報を記録する付加情報領域とを含む記録媒体に情報を記録する記録工程の制御コードと、前記受信工程により受信される無線セルに対応した識別情報の変化に基づいて、自己が属する無線セルの変更を検知する移動検知工程の制御コードと、を有し、前記記録工程では、前記撮像工程で撮像した画像の画像情報を前記画像領域に記録し、前記受信工程で受信した識別情報を前記付加情報領域に記録する他、前記移動検知工程で自己が属する無線セルの変更が検知された場合に、前記付加情報領域に画像サーチに利用可能な指標を記録する工程を有することを特徴とする。
【００１７】
【発明の実施の形態】
以下、添付図面を参照しながら本発明の好適な実施の形態を説明する。
【００１８】
［第１の実施の形態］
この実施の形態は、複数の無線セルで構成されるサービスゾーン内で各無線基地局と通信する機能を有するビデオカメラに関する。以下では、無線通信の形式がＰＨＳ（パーソナル・ハンディフォン・システム）であり、画像の記録媒体としてデジタルビデオテープを利用するビデオカメラに関して説明する。
【００１９】
図１は、本発明の好適な実施の形態に係る無線通信システムを模式的に示す図である。この無線通信システムは、複数の無線基地局１１〜１３を交換網１０４に接続してなる。そして、各無線基地局１１〜１３の周辺には、無線端末（ＰＨＳ）による通信を可能にする無線セル１０１〜１０３が夫々形成されている。各無線基地局には、固有の識別番号（無線基地局識別番号）が付与されており、各無線基地局は、自己の識別番号を間欠的に無線セル内の無線端末に送信する。無線セル内の無線端末は、この識別番号に基づいて自己が現在属する無線基地局を特定し、該無線基地局を介して他の各種の端末と通信することができる。
【００２０】
ビデオカメラ１には、ＰＨＳ方式による無線通信のための無線通信機能が備えられている。ビデオカメラ１は、無線セル１０１〜１０３のいずれの無線セル内で撮影された画像であるのかを識別するための情報を当該画像と併せて記録媒体に記録する。これにより、画像の再生の際に、該画像が撮影された場所を容易に認識することができる。
【００２１】
図２は、図１に示すビデオカメラ１の概略的な構成を示す図である。ビデオカメラ１は、主に、デジタルビデオカメラ部２２０と無線通信部２３０とで構成される。
【００２２】
デジタルビデオカメラ部２２０は、マイク等の集音部２０１、ＣＣＤ撮像素子等で構成される撮像部２０２、集音部２０１及び撮像部２０２から供給される音声情報及び画像情報をデジタルビデオフォーマットに変換するエンコード部２０３、デジタルビデオテープ（記録媒体）に画像情報や音声情報等を記録する記録部２０４、デジタルビデオテープから読み出された情報を画像情報や音声情報に変換するデコード部２０５、情報の伝達経路を切り換えるセレクタ部２０６を有する。
【００２３】
セレクタ部２０６には、ディスプレイやスピーカ等を含む出力部２０７に接続されており、該出力部２０７に対して画像情報や音声情報を供給する。
【００２４】
無線通信部２３０は、アンテナを含み、該アンテナを利用して電波を送受信する無線部２０９、信号の変調及び復調処理を行うベースバンド部２１０、通信フレームの分解及び組み立てを行う通信フレーム分解・組立部２１１、画像、音声通信等のためのインバンドフレーム分解・組立部２１２を有する。
【００２５】
制御部２１３は、デジタルビデオカメラ部２２０と無線通信部２３０とを制御する。
【００２６】
図３は、デジタルビデオテープにおけるトラックパターンを示す図である。Ｇ１〜Ｇ３（３１〜３３）は、信号の記録位置のずれによりデータが失われないようにするためのエリア（ギャップ）、マージン（３４）は、有効データを確実に読み取るためのエリア、ＩＴＩ（Inthert and Track Information）（３５）は、トラック情報を記録するためのエリア、オーディオ（３６）は、音声情報を記録するためのエリア、ビデオデータ（３７）は、画像情報を記録するためのエリア、サブコードデータ（３８）は、トラック番号等を記録するエリアである。
【００２７】
デジタルビデオテープのフォーマットとして、オーディオ（３６）、ビデオデータ（３７）、サブコードデ−タ（３８）の各エリアには、再生のための情報以外に付加情報等を記録するためのオプションエリアが設けられている。
【００２８】
図４は、デジタルビデオテープに記録される各種情報のパックデータ構造を示す図である。図５は、図４に示す大ヘッダによる情報のグループ分けを示す図である。
【００２９】
図６及び図７は、デジタルビデオテープのオプションエリアに撮影場所を特定するための情報を記録するためのパックデータの構造の一例を示す図である。この実施の形態では、画像情報や音声情報等の情報を記録する場所（例えば、撮影場所）を特定するための情報として、ＣＳ情報（無線基地局識別符号）を採用している。
【００３０】
ＰＨＳの場合は、無線基地局を識別するためには、ＣＳ情報として、４２ビットの「受信ＣＳ−ＩＤ」と１６ビットの「受信国番号」との合計５８ビットが必要である。本発明の好適な実施の形態に係るデジタルビデオテープでは、１パック当たり３２ビットの情報を含み得るため、図６及び図７に示すように、ＣＳ情報は、２パックを１組としてオプションエリアに記録される。
【００３１】
図８は、本発明の好適な実施の形態に係るビデオカメラ１において、オプションエリアへオプション情報（例えば、ＣＳ情報）を記録する動作を概略的に示すフローチャートである。なお、この動作は、制御部２１３（図２参照）により制御される。制御部２１３は、例えば、図８に示す動作を制御するためのプログラムを格納したメモリ媒体、該プログラムに基づいて動作するＣＰＵ等から構成される。制御部２１３は、撮影時に所定のタイミング（例えば、所定間隔）でオプション情報をデジタルビデオテープのオプションエリアに記録する。
【００３２】
即ち、制御部２１３は、オプション情報を記録すべきタイミングになると、まず、ステップＳ８０１において、現在受信中のＣＳ情報が存在するか否かを判定し、受信中のＣＳ情報が存在する場合には、ステップＳ８０２に進み、受信中のＣＳ情報が存在しない場合（例えば、ＰＨＳのサービスゾーンの外にいる場合等）には、ステップＳ８０５に進む。
【００３３】
ステップＳ８０２では、制御部２１３は、優先してデジタルビデオテープに記録すべきオプション情報が存在するか否かを判定し、当該オプション情報が存在する場合にはステップＳ８０４に進み、当該オプション情報が存在しない場合にはステップＳ８０３に進む。
【００３４】
ステップＳ８０３では、制御部２１３は、図６及び図７に示すフォーマットに従ってＣＳ情報をデジタルビデオテープのオプションエリアに記録するように記録部２０４を制御し、その後、図８に示す処理を終了する。
【００３５】
ステップＳ８０４では、制御部２１３は、優先して記録すべきオプション情報をデジタルビデオテープに記録するように記録部２０４を制御し、その後、図８に示す処理を終了する。
【００３６】
ステップＳ８０５では、制御部２１３は、デジタルビデオテープに記録すべきオプション情報が存在するか否かを判定し、当該オプション情報が存在する場合にはステップＳ８０６に進み、当該オプション情報が存在しない場合にはステップＳ８０７に進む。
【００３７】
ステップＳ８０５では、制御部２１３は、必要なオプション情報をデジタルビデオテープのオプションエリアに記録するように記録部２０４を制御し、一方、ステップＳ８０７では、制御部２１３は、フィルデータをオプションエリアに記録するように記録部２０４を制御する。
【００３８】
以上のように、ＰＨＳのサービスゾーン内で画像や音声等の情報を記録をデジタルビデオテープに記録する場合に、該デジタルビデオテープのオプションエリアにＣＳ情報を記録することにより、記録の後において、該デジタルビデオテープに記録された情報が何処で記録された情報であるのかを確認することができる。
【００３９】
ここで、デジタルビデオテープに記録された情報を読み出す際（例えば、再生時、検索時）に、ＣＳ情報とそれに対応する無線セルの領域（例えば、地名）とを対応付けたテーブルを参照することにより、例えば地名等の具体的な場所の情報から対応するＣＳ情報を得て、そのＣＳ情報に基づいて所望の情報（例えば、画像や音声）を迅速に検索することができる。
【００４０】
図１５は、ＣＳ情報とそれに対応する無線セルの位置とを対応付けたテーブルの一例を示す図である。図１５において、「ＣＳ１」、「ＣＳ２」・・・は、ＣＳ情報であり、「地名１」、「地名２」・・・は、地名である。
【００４１】
このテーブル１５００は、例えば、図２に示すビデオカメラ１や、別個の再生装置等の装置（以下、単に再生装置）内に格納しておき、記録された情報の再生時や検索時等に、当該再生装置が具体的な地名等から対応するＣＳ情報を取得するために利用することができる。この場合、テーブル１５００の内容は、定期的に或いは任意のタイミングで更新することが好ましい。この更新は、例えば、ＰＨＳのサービス業者の事業所等に、最新の情報（ＣＳ情報と地名との対応を示す情報）を収めた端末等を設置しておき、該端末から再生装置に最新の情報をダウンロードすることによって実行することができる。また、例えば、テーブル１５００をＰＨＳのサービス業者の端末にのみ備え、記録された情報の再生時や検索時等に、必要に応じて、再生装置が該端末に問合わせを行って地名等の情報に対応するＣＳ情報を取得してもよい。
【００４２】
このようにして取得されるＣＳ情報は、デジタルビデオテープに記録された画像等の情報を検索する際の指標として利用することができる。
【００４３】
［第２の実施の形態］
この実施の形態は、第１の実施の形態の変形例であり、特に言及しない限り、第１の実施の形態と同様の構成を有し、同様の動作をする。
【００４４】
第１の実施の形態では、ＣＳ情報は、例えば、所定の間隔で連続的にデジタルビデオテープに記録される。この実施の形態では、所定の間隔で連続的にデジタルビデオテープにＣＳ情報を記録する代わりに、或いは、それに加えて、画像や音声等の情報をデジタルビデオテープに記録している際に、ビデオカメラ１の移動により自己が属する無線セルが変更され、これにより受信されるＣＳ情報が変化した場合に、該ＣＳ情報を高速サーチのための指標と関連付けてデジタルビデオテープに記録する。
【００４５】
図９は、図３に示すデジタルビデオテープのサブコードセクタ３８に記録される情報のうち主に高速サーチのために利用される情報を示す図である。デジタルビデオにおける高速サーチの機能としては、プログラム開始点等に予め書込まれインデックスポイントを検索するインデックスサーチ、マーキングされた静止画を検索するＰＰサーチ、絶対アドレスを利用する絶対トラックサーチ、時分秒フレームを利用して検索するタイトルタイムコードサーチ等がある。
【００４６】
図１０は、デジタルビデオテープのカセットに内蔵されるカセットメモリ（半導体メモリ）のメモリマップを示す図である。カセットメモリ１０００には、デジタルビデオテープのＴＯＣ（Table of Content）情報や各種の管理情報が記録され、テープが先頭まで巻き戻されていない状態であっても、再生装置がこれらの情報を即時に認識することを可能にする。
【００４７】
図１１は、図１０に示すＴＯＣ情報の内容を示す図である。ＴＯＣ情報の先頭から１６バイトはメインエリアである。また、１７バイト目以降はオプションエリアであり、パックデータの形式で情報（１１０６）が記録される。
【００４８】
メインエリアは、当該カセットメモリを識別するためのＡＰＭ（Application ID of Memory cassette）情報１１０１、テープの種類（例えば、厚さ、グレード等）を識別するためのＢＣＩＤ（Basic Cassette ID）情報１１０２、実際にカセットに実装されたメモリの構造やテープの詳細な情報が記録されたカセットＩＤパック１１０３、テープ長を示す情報が記録されたテープ長パック１１０４、現在までのテープの最終記録位置を示す情報が記録されたタイトル終了位置パック１１０５で構成されている。
【００４９】
この実施の形態では、デジタルビデオカセットの有する上記の特徴を利用し、撮影等の途中で受信中のＣＳ情報が変化した場合に、その変化したＣＳ情報と図９に示す高速サーチのための指標（例えば、絶対トラック番号、インデックスＩＤ、ＰＰ−ＩＤ、タイトルタイムコード）とを関連付けて、その関連付けの情報をカセットメモリのＴＯＣ情報部のオプションエリア（図１１参照）に記録する。
【００５０】
以下、ＣＳ情報と高速サーチのための指標との関連付けに関する具体例挙げる。
【００５１】
図１２は、ＣＳ情報が変化した場合に、ＣＳ情報とインデックスサーチ用の指標であるインデックスＩＤとを関連付けてＴＯＣ情報部のオプションエリアに記録する動作を示すフローチャートである。なお、この動作は、制御部２１３（図２参照）により制御される。制御部２１３は、例えば、図１２に示す動作を制御するためのプログラムを格納したメモリ媒体、該プログラムに基づいて動作するＣＰＵ等から構成される。図１２のフローチャートに示す処理は、デジタルビデオテープに画像等の情報を記録中にビデオカメラ１が移動し、これにより自己が属する無線セルが変更され、受信されるＣＳ情報が変化することを検知することにより起動される。
【００５２】
まず、ステップＳ１２０１において、制御部２１３は、現在デジタルビデオテープに情報（例えば、画像情報、音声情報）を記録中であるか否かを判定し、記録中であれば、ステップＳ１２０２に進み、記録中でなければ図１２に示す処理を終了する。
【００５３】
ステップＳ１２０２では、制御部２１３は、デジタルビデオテープのサブコードセクタ３８（図３参照）に頭出し用のインデックスＩＤを記録するように記録部２０４を制御する。
【００５４】
ステップＳ１２０３では、制御部２１３は、ステップＳ１２０２で記録したインデックスＩＤと、現在属する無線セルのＣＳ情報（ＣＳ−ＩＤ）とを関連付けて、ＴＯＣ情報部のオプションエリア（図１１参照）に記録し、図１２に示す処理を終了する。
【００５５】
図１３は、ＣＳ情報が変化した場合に、ＣＳ情報とサーチ用の指標である絶対トラック番号とを関連付けてＴＯＣ情報部のオプションエリアに記録する動作を示すフローチャートである。なお、この動作は、制御部２１３により制御される。制御部２１３は、例えば、図１３に示す動作を制御するためのプログラムを格納したメモリ媒体、該プログラムに基づいて動作するＣＰＵ等から構成される。図１３のフローチャートに示す処理は、デジタルビデオテープに画像等の情報を記録中にビデオカメラ１が移動して自己が属する無線セルが変更され、これにより受信されるＣＳ情報が変化することを検知することにより起動される。
【００５６】
まず、ステップＳ１３０１において、制御部２１３は、現在デジタルビデオテープに情報（例えば、画像情報、音声情報）を記録中であるか否かを判定し、記録中であれば、ステップＳ１３０２に進み、記録中でなければ図１３に示す処理を終了する。ステップＳ１３０２では、制御部２１３は、記録部２０４より現在の絶対トラック番号を読み出す。
【００５７】
ステップＳ１３０３では、制御部２１３は、ステップＳ１３０２で読み出した絶対トラック番号と、現在属する無線セルのＣＳ情報（ＣＳ−ＩＤ）とを関連付けて、ＴＯＣ情報部のオプションエリア（図１１参照）に記録し、図１３に示す処理を終了する。
【００５８】
図１４は、ＣＳ情報が変化した場合に、ＣＳ情報とサーチ用の指標である時刻とを関連付けてＴＯＣ情報部のオプションエリアに記録する動作を示すフローチャートである。なお、この動作は、制御部２１３により制御される。制御部２１３は、例えば、図１４に示す動作を制御するためのプログラムを格納したメモリ媒体、該プログラムに基づいて動作するＣＰＵ等から構成される。図１４のフローチャートに示す処理は、デジタルビデオテープに画像等の情報を記録中にビデオカメラ１が移動して自己が属する無線セルが変更され、これにより受信されるＣＳ情報が変化することを検知することにより起動される。
【００５９】
まず、ステップＳ１４０１において、制御部２１３は、現在デジタルビデオテープに情報（例えば、画像情報、音声情報）を記録中であるか否かを判定し、記録中であれば、ステップＳ１４０２に進み、記録中でなければ図１４に示す処理を終了する。ステップＳ１４０２では、制御部２１３は、内蔵の時計より現在の時刻を示す情報を読み出す。
【００６０】
ステップＳ１４０３では、制御部２１３は、ステップＳ１４０２で読み出した時刻情報と、現在属している無線セルのＣＳ情報（ＣＳ−ＩＤ）とを関連付けて、ＴＯＣ情報部のオプションエリア（図１１参照）に記録し、図１４に示す処理を終了する。
【００６１】
以上のように、画像等の情報を記録している際に、ビデオカメラの移動によって自己が属している無線セルが変更された場合に、その変化に係る無線セルのＣＳ情報を高速サーチのための指標と関連付けてＴＯＣ情報部に記録することにより、再生時に、ＣＳ情報に基づいて高速サーチのための指標を指定し、その指標に基づいて所望の情報（例えば、画像情報）を迅速に検索することができる。
【００６２】
ここで、第１の実施の形態と同様に、デジタルビデオテープに記録された情報を読み出す際（例えば、再生時、検索時）に、ＣＳ情報と無線セルの位置（例えば、地名）とを対応付けたテーブルを参照することにより、デジタルビデオテープに情報が記録された場所を特定する具体的な情報（例えば、地名）から対応するＣＳ情報を得て、そのＣＳ情報に基づいて高速サーチのための指標を特定し、その指標に基づいて所望の情報を迅速に検索することができる。
【００６３】
図１２〜図１４のフローチャートに示す例は、受信しているＣＳ情報の変化に応答して、高速サーチのための指標とＣＳ情報とを関連付けてＴＯＣ情報部に記録するものであるが、例えば、デジタルビデオテープに対する画像等の情報の記録を開始する時点においても、該指標とＣＳ情報とを関連付けてＴＯＣ情報部に記録することが好ましい。
【００６４】
［その他］
上記の各実施の形態は、ＰＨＳ方式の無線通信システム内で利用されるビデオカメラに関するが、本発明は、ＰＨＳ方式以外の無線通信システム（例えば、携帯電話システム）内で利用されるビデオカメラにも適用することができる。
【００６５】
上記の実施の形態は、ビデオカメラに関するが、本発明は、動画のみならず、静止画を記録するカメラにも適用される。
【００６６】
画像情報等を記録するための記録媒体は、デジタルビデオテープ等の磁気テープに限定されず、例えば、磁気ディスク、光学ディスク、半導体メモリ、銀塩写真用のフィルム等の様々な記録媒体を採用することができる。
【００６７】
なお、本発明は、複数の機器から構成されるシステムに適用しても、一つの機器からなる装置に適用してもよい。
【００６８】
また、上記の実施の形態に係る装置又は方法を構成する構成要素の全体のうち一部の構成要素で構成される装置又は方法も、本件出願に係る発明者が意図した発明である。
【００６９】
また、上記の実施の形態に係る装置の機能は、プログラムコードを記録した記憶媒体をシステム或いは装置に固定的又は一時的に組み込み、そのシステム或いは装置のコンピュータ（又はＣＰＵ若しくはＭＰＵ）が該記憶媒体に格納されたプログラムコードを読み出して実行することによっても達成される。ここで、該記憶媒体から読み出されたプログラムコード自体或いは該記憶媒体自体が法上の発明を構成する。
【００７０】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭ等が好適であるが、他のデバイスを採用することもできる。
【００７１】
また、コンピュータが記憶媒体から読み出したプログラムコードを実行することにより本発明の特有の機能が実現される場合のみならず、そのプログラムコードによる指示に基づいて、コンピュータ上で稼働しているＯＳ（オペレーティングシステム）等が実際の処理の一部又は全部を負担する実施の態様も本発明の技術的範囲に属する。
【００７２】
さらに、記憶媒体から読み出されたプログラムコードが、コンピュータに挿入された機能拡張ボードやコンピュータに接続された機能拡張ユニットに備えられたメモリに書込まれた後に、そのプログラムコードの指示に基づいて、その機能拡張ボードや機能拡張ユニットに備えられたＣＰＵ等が実際の処理の一部又は全部を負担する実施の態様も本発明の技術的範囲に属する。
【００７３】
【発明の効果】
本発明によれば、例えば、記録媒体に記録された画像から所望の画像を容易にサーチすることができる。
【図面の簡単な説明】
【図１】本発明の好適な実施の形態に係る無線通信システムを模式的に示す図である。
【図２】図１に示すビデオカメラの概略的な構成を示す図である。
【図３】デジタルビデオテープにおけるトラックパターンを示す図である。
【図４】デジタルビデオテープに記録される各種情報のパックデータ構造を示す図である。
【図５】図４に示す大ヘッダによる情報のグループ分けを示す図である。
【図６】デジタルビデオテープのオプションエリアに撮影場所を特定するための情報を記録するためのパックデータの構造の一例を示す図である。
【図７】デジタルビデオテープのオプションエリアに撮影場所を特定するための情報を記録するためのパックデータの構造の一例を示す図である。
【図８】本発明の好適な実施の形態に係るビデオカメラにおいて、オプションエリアへオプション情報（例えば、ＣＳ情報）を記録する動作を概略的に示すフローチャートである。
【図９】図３に示すデジタルビデオテープのサブコードセクタに記録される情報のうち主に高速サーチのために利用される情報を示す図である。
【図１０】デジタルビデオテープのカセットに内蔵されるカセットメモリ（半導体メモリ）のメモリマップを示す図である。
【図１１】図１０に示すＴＯＣ情報の内容を示す図である。
【図１２】ＣＳ情報が変化した場合に、ＣＳ情報とインデックスサーチ用の指標であるインデックスＩＤとを関連付けてＴＯＣ情報部のオプションエリアに記録する動作を示すフローチャートである。
【図１３】ＣＳ情報が変化した場合に、ＣＳ情報とサーチ用の指標である絶対トラック番号とを関連付けてＴＯＣ情報部のオプションエリアに記録する動作を示すフローチャートである。
【図１４】ＣＳ情報が変化した場合に、ＣＳ情報とサーチ用の指標である時刻とを関連付けてＴＯＣ情報部のオプションエリアに記録する動作を示すフローチャートである。
【図１５】ＣＳ情報とそれに対応する無線セルの位置とを対応付けたテーブルの一例を示す図である。
【図１】
0003902884.tif 000002
【図２】
0003902884.tif 000003
【図３】
0003902884.tif 000004
【図４】
0003902884.tif 000005
【図５】
0003902884.tif 000006
【図６】
0003902884.tif 000007
【図７】
0003902884.tif 000008
【図８】
0003902884.tif 000009
【図９】
0003902884.tif 000010
【図１０】
0003902884.tif 000011
【図１１】
0003902884.tif 000012
【図１２】
0003902884.tif 000013
【図１３】
0003902884.tif 000014
【図１４】
0003902884.tif 000015
【図１５】
0003902884.tif 000016